(57)【要約】【課題】吐水室内の洗浄水が後方に漏出する懸念を払拭することができる陶器製便器本体を提供する。【解決手段】本発明の陶器製便器本体１は、床面Ｆに載置される外周壁１ａと、外周壁１ａ内に位置し、便鉢２を形成するとともに、便鉢２の周方向に開く単一の吐水口３が上部に貫設された便鉢壁１ｂと、後方側で便鉢壁１ｂから外周壁１ａまで略水平方向に延びる棚壁１ｃと、外周壁１ａの上部と便鉢壁１ｂの上端とを略水平に接続する天部材５の底壁５ｄとを備えている。また、この便器本体１は、後方側で便鉢壁１ｂから外周壁１ａまで略垂直方向で側方に延び、外周壁１ａ、便鉢壁１ｂ、棚壁１ｃ及び底壁５ｄとともに吐水口３と連通する吐水室６を形成し、ノズル８ｂが後方から取り付けられる取付穴１ｅが貫設されたノズル取付壁１ｄとを備えている。このノズル取付壁１ｄは、後方から視認可能に便鉢壁１ｂから一壁で外方に延びて外周壁１ａと一体に接続されている。【選択図】図２
2008291594.tif 000002
【特許請求の範囲】
【請求項１】
床面に載置される外周壁と、
該外周壁内に位置し、便鉢を形成するとともに、該便鉢の周方向に開く単一の吐水口が上部に貫設された便鉢壁と、
後方側で該便鉢壁から該外周壁まで略水平方向に延びる棚壁と、
前記外周壁の上端で略水平方向内側に延びる上壁と、
後方側で該便鉢壁から該外周壁まで略垂直方向で側方に延び、該外周壁、該便鉢壁、該棚壁及び該上壁とともに該吐水口と連通する吐水室を形成し、ノズルが後方から取り付けられる取付穴が貫設されたノズル取付壁とを備え、
前記ノズル取付壁は、後方から視認可能に前記便鉢壁から一壁で外方に延びて該外周壁と一体に接続されていることを特徴とする陶器製便器本体。
【請求項２】
前記ノズル取付壁よりも後方側で前記便鉢壁から略垂直方向で後方に延び、前記上壁を支持する支持壁を備えている請求項１記載の陶器製便器本体。
【発明の詳細な説明】
【技術分野】
【０００１】
本発明は陶器製便器本体に関する。
【背景技術】
【０００２】
特許文献１、２に従来の陶器製便器本体が開示されている。この便器本体では、外周壁が床面に載置されている。また、便鉢壁が便鉢を形成しており、この便鉢壁の上部には便鉢の周方向に開く単一の吐水口が貫設されている。便鉢壁は外周壁内に位置している。また、便器本体の後方側には、便鉢壁から外周壁まで略水平方向に延びる棚壁が設けられている。さらに、この便器本体では、外周壁の上端で略水平方向内側に延びる上壁が設けられている。また、便器本体の後方側には、便鉢壁から外周壁まで略垂直方向で側方に延びるノズル取付壁と、ノズル取付壁と同一位置で便鉢壁から略垂直方向で後方に延びる支持壁とが設けられている。
【０００３】
ノズル取付壁は、外周壁、便鉢壁、棚壁及び上壁とともに、吐水口と連通する吐水室を形成している。ノズル取付壁には取付穴が貫設されており、この取付穴には便器洗浄装置と接続されるノズルが後方から取り付けられる。また、支持壁はノズル取付壁とともに上壁を支持している。
【０００４】
この便器本体は一般に以下のように製造される。まず、排泥鋳込み成形法等によって複数個の素材が成形され、各素材に切削等の加工が施される。ここで、ノズル取付壁を形成する素材では、そのノズル取付壁に相当する部分に取付穴が貫設される。そして、各素材が接合され、成形体とされる。この成形体に釉薬が施されて施釉品とされ、施釉品が焼成されて便器本体が得られる。得られた便器本体は便器洗浄装置等とともに組み付けられ、洋風水洗式便器が構成される。この洋風水洗式便器において、便器洗浄装置から洗浄水がノズルに供給されると、その洗浄水は吐水室の吐水口から便鉢に吐水される。洗浄水は、便鉢内で旋回流となり、便鉢内の汚物とともに排出される。
【０００５】
【特許文献１】特開２００４−１５６３０８号公報
【特許文献２】特開２００４−１５６３０９号公報
【発明の開示】
【発明が解決しようとする課題】
【０００６】
しかし、発明者らの検討によれば、上記従来の便器本体は吐水室内の洗浄水が後方に漏出する懸念がある。なぜなら、この便器本体は、ノズル取付壁と支持壁とが便鉢壁の同一位置から外方に延び、ノズル取付壁及び支持壁と便鉢壁との接続部分を目視することが不可能である。このため、その接続部分に成形体等に起因するクラックを生じてしまったとしても、そのクラックを確認することができない。この場合には、洋風水洗式便器において、吐水室がクラックによって後方と連通することとなり、吐水室内の洗浄水が後方に漏出するのである。
【０００７】
本発明は、上記従来の実情に鑑みてなされたものであって、吐水室内の洗浄水が後方に漏出する懸念を払拭することができる陶器製便器本体を提供することを解決すべき課題としている。
【課題を解決するための手段】
【０００８】
本発明の陶器製便器本体は、床面に載置される外周壁と、
該外周壁内に位置し、便鉢を形成するとともに、該便鉢の周方向に開く単一の吐水口が上部に貫設された便鉢壁と、
後方側で該便鉢壁から該外周壁まで略水平方向に延びる棚壁と、
前記外周壁の上端で略水平方向内側に延びる上壁と、
後方側で該便鉢壁から該外周壁まで略垂直方向で側方に延び、該外周壁、該便鉢壁、該棚壁及び該上壁とともに該吐水口と連通する吐水室を形成し、ノズルが後方から取り付けられる取付穴が貫設されたノズル取付壁とを備え、
前記ノズル取付壁は、後方から視認可能に前記便鉢壁から一壁で外方に延びて該外周壁と一体に接続されていることを特徴とする。
【０００９】
本発明の陶器製便器本体では、ノズル取付壁が後方から視認可能に便鉢壁から一壁で外方に延びて外周壁と一体に接続されているため、ノズル取付壁と便鉢壁との接続部分を目視することが可能である。このため、その接続部分にクラックを生じておれば、成形体、施釉品及び便器本体において、そのクラックを確認することができる。成形体又は施釉品でクラックを発見した場合には、補修した上で焼成したり、補修が困難であれば焼成せずに原料に戻して再利用したりすることができる。補修が困難な成形体又は施釉品を焼成しなければ、漏水の恐れのある便器本体を焼成しないで済む。また、焼成後の便器本体でクラックを発見した場合には、漏水の恐れのある洋風水洗式便器を組付けることを回避できる。
【００１０】
したがって、この陶器製便器本体によれば、吐水室内の洗浄水が後方に漏出する懸念を払拭することができる。また、吐水室内の洗浄水が後方に漏出するような便器本体を焼成しないため、エネルギの無駄使いを防止することもできる。また、漏水の恐れのある洋風水洗式便器を組付けることを回避し、組付け作業の効率化を実現することもできる。
【００１１】
本発明の陶器製便器本体は、ノズル取付壁よりも後方側で便鉢壁から略垂直方向で後方に延び、上壁を支持する支持壁を備えることができる。この場合、支持壁がノズル取付壁よりも後方側で便鉢壁から略垂直方向で後方に延びていることから、本発明の作用効果を損なわない。そして、この支持壁によって、従前と同様、上壁を好適に支持することが可能である。
【発明を実施するための最良の形態】
【００１２】
以下、本発明を具体化した実施例を図面を参照しつつ説明する。
【実施例】
【００１３】
実施例の陶器製便器本体１は、図１に示すように、外周壁１ａが床面Ｆに載置されている。また、便鉢壁１ｂが便鉢２を形成しており、図２及び図３に示すように、この便鉢壁１ｂの上部には、便鉢２の周方向に開き、陶器で一体に構成された単一の吐水口３が貫設されている。図１に示すように、便鉢壁１ｂの前方上部は、前方に略水平に延びて外周壁１ａと一体にされ、リム通水路４を構成している。また、図１及び図２に示すように、便鉢壁１ｂの側方及び後方は外周壁１ａ内に位置し、便鉢壁１ｂの側方上部は側方に略水平に延び、便鉢壁１ｂの後方上部は後方に略水平に延びてやはりリム通水路４を構成している。
【００１４】
また、図２〜４に示すように、便器本体１の後方側には、便鉢壁１ｂから外周壁１ａまで延びる棚壁１ｃが設けられている。吐水口３は棚壁１ｃの上面に位置している。さらに、この便器本体１では、図１に示すように、外周壁１ａの上端に接合された天部材５を備えている。
【００１５】
この天部材５は、略垂直上方に延びる外側壁５ａと、外側壁５ａの上端から内方へ略水平に延びる天壁５ｂと、天壁５ｂの内端から略垂直下方に延びる内側壁５ｃと、内側壁５ｃの下端から略水平に延び、外側壁５ａに接続された底壁５ｄとを有している。また、外側壁５ａの上端外側には、天壁５ｂの上面及び外周壁１ａの外面と連続する縁面をもつ取付壁５ｅが設けられている。底壁５ｄが本発明に係る上壁に相当し、この底壁５ｄは、図４及び図５に示すように、外周壁１ａの上端で略水平方向内側に延び、便鉢壁１ｂの上端に接続している。
【００１６】
また、図２〜４に示すように、便器本体１の後方側には、便鉢壁１ｂから外周壁１ａまで略垂直方向で側方に延びるノズル取付壁１ｄが設けられている。このノズル取付壁１ｄは、図３〜５に示すように、後方から視認可能に便鉢壁１ｂから一壁で外方に延びて外周壁１ａと一体に接続されている。また、このノズル取付壁１ｄは、図２〜４に示すように、外周壁１ａ、便鉢壁１ｂ、棚壁１ｃ及び天部材５の底壁５ｄ（図４参照）とともに、吐水口３と連通する吐水室６を形成している。ノズル取付壁１ｄには、ノズル８ｂが後方から固定されるための取付穴１ｅが貫設されている。
【００１７】
また、便器本体１の後方側には、ノズル取付壁１ｄよりも後方側で便鉢壁１ｂから略垂直方向で後方に延びる支持壁１ｆが設けられている。この支持壁１ｆはノズル取付壁１ｄとともに天部材５の底壁５ｄ（図５参照）を支持している。
【００１８】
図１〜３に示すように、便器本体１の後部には外周壁１ａで囲まれて上下が開放された収納空間１ｇが形成されている。また、図２及び図３に示すように、吐水室６の後方には、ノズル取付壁１ｄ、外周壁１ａ、支持壁１ｆ、棚壁１ｃ及び天部材５の底壁５ｄとともに、収納空間１ｇと連通するノズル収納室７が形成されている。取付穴１ｅは収納空間１ｇ及びノズル収納室７側から視認できるように開いているため、ノズル８ｂは容易に取付穴１ｅに取り付けられる。天部材５の一部を開放してノズル収納室７を上方に開放すれば、ノズル８ｂはより容易に取付穴１ｅに取り付けられる。
【００１９】
便器本体１は、図１に示すように、便鉢２の下端に形成された流入口２ａが便鉢２の裏面で後方に延びる上昇流路２ｂに連通している。上昇流路２ｂは設置時に流入口２ａより高い最高位部に位置する便器排水口２ｄまで延びている。便器排水口２ｄは、収納空間１ｇに向けて水平後方に開口している。収納空間１ｇ内では、便器排水口２ｄに図示しないパッキンを介して排水接続管１７が接続され、排水接続管１７は床面Ｆに立ち上げられた図示しない床排水管に接続されるようになっている。
【００２０】
この便器本体１は以下のように製造される。まず、排泥鋳込み成形法によって複数個の素材が成形され、各素材に切削等の加工が施される。ここで、ノズル取付壁１ｄを形成する素材では、そのノズル取付壁１ｄに相当する部分に取付穴１ｅが貫設される。そして、各素材が接合され、成形体とされる。この成形体に釉薬が施されて施釉品とされ、施釉品が焼成されて便器本体１が得られる。
【００２１】
こうして得られた便器本体１の収納空間１ｇ内には、前記排水接続管１７が収納されるとともに、便器洗浄装置１８が収納される。図２に示すように、便器収納装置１８の送水管８ａはノズル収納室７を経てノズル取付壁１ｄの取付穴１ｅまで導かれ、ノズル８ｂが取付穴１ｅに後方から固定される。また、図示しない便座及び便蓋が便器本体１に装着される。こうして、洋風水洗式便器が構成される。
【００２２】
この洋風水洗式便器において、便器洗浄装置１８から洗浄水がノズル８ｂに供給されると、その洗浄水は吐水室６の吐水口３から便鉢２に吐水される。洗浄水は、便鉢２内で旋回流となり、流入口２ａ、上昇流路２ｂ、便器排水口２ｄ、排水接続管１７及び床排水管を経て、便鉢２内の汚物とともに排出される。
【００２３】
ここで、実施例の便器本体１では、図３〜５に示すように、ノズル取付壁１ｄが後方から視認可能に便鉢壁１ｂから一壁で外方に延びて外周壁１ａと一体に接続されているため、ノズル取付壁１ｄと便鉢壁１ｂとの接続部分を目視することが可能である。このため、図３に示すように、その接続部分にクラックＣを生じておれば、成形体、施釉品及び便器本体１において、そのクラックＣを確認することができる。
【００２４】
成形体又は施釉品でクラックＣを発見した場合には、補修した上で焼成したり、補修が困難であれば焼成せずに原料に戻して再利用したりすることができる。補修が困難な成形体又は施釉品を焼成しなければ、漏水の恐れのある便器本体１を焼成しないで済む。
【００２５】
また、焼成後の便器本体１でクラックＣを発見した場合には、漏水の恐れのある洋風水洗式便器を組付けることを回避できる。
【００２６】
したがって、この便器本体１によれば、吐水室６内の洗浄水が後方に漏出する懸念を払拭することができる。また、吐水室６内の洗浄水が後方に漏出するような便器本体１を焼成しないため、エネルギの無駄使いを防止することもできる。また、漏水の恐れのある洋風水洗式便器を組付けることを回避し、組付け作業の効率化を実現することもできる。
【００２７】
以上において、本発明を実施例に即して説明したが、本発明は上記実施例に制限されるものではなく、その趣旨を逸脱しない範囲で適宜変更して適用できることはいうまでもない。
【００２８】
例えば、天部材５は、上記実施例のように、外側壁５ａ、天壁５ｂ、内側壁５ｃ、取付壁５ｅ及び底壁５ｄからなるものに限られない。天壁の内端から下方に延びつつ外側壁に接続された傾斜壁を有する天部材を採用することも可能である。
【００２９】
また、上記実施例では、図４に示すように、ノズル取付壁１ｄが接続される部分が１枚の外周壁１ａを採用しているが、本発明はこの場合に限られない。例えば、図６に示すように、ノズル取付壁１ｄが接続される部分が２枚の外周壁１ｈ、１ｉを採用し、内側の外周壁１ｉを棚壁１ｃと接続してもよい。
【産業上の利用可能性】
【００３０】
本発明は洋風水洗式便器に利用可能である。
【図面の簡単な説明】
【００３１】
【図１】実施例の洋風水洗式便器の一部模式の断面図である。
【図２】実施例の便器本体の横断面図である。
【図３】実施例の便器本体の要部拡大横断面図である。
【図４】実施例の便器本体の要部拡大縦断面図である。
【図５】実施例の便器本体の後部からの縦断面図である。
【図６】変形例の便器本体の要部拡大縦断面図である。
【符号の説明】
【００３２】
Ｆ…床面
１ａ、１ｈ、１ｉ…外周壁
２…便鉢
３…吐水口
１ｂ…便鉢壁
１ｃ…棚壁
５ｄ…天部材の底壁（上壁）
６…吐水室
８ｂ…ノズル
１ｅ…取付穴
１ｄ…ノズル取付壁
１ｆ…支持壁
【図１】
2008291594.tif 000003
【図２】
2008291594.tif 000004
【図３】
2008291594.tif 000005
【図４】
2008291594.tif 000006
【図５】
2008291594.tif 000007
【図６】
2008291594.tif 000008